(57)【要約】【課題】冷水タンク及び温水タンク等の分解，組立てを容易にしてメンテナンスを簡便に行うことが出来るようにした飲料水ディスペンサーを提供する。【解決手段】ディスペンサー本体１の上部には、所定容量の飲料水を収容したボトルＰを載置するボトル載置部２が設けてあり、このボトル載置部２の下部には冷水タンク３を収容する冷水タンク設置部４と、冷水タンク設置部４の下部に温水タンク５を設置する温水タンク設置部６とを形成し、ディスペンサー本体１の側面には、冷水Ｗａまたは温水Ｗｂの抽出可能な抽出バルブ等で構成された抽出部７が設けてある。ディスペンサー本体１の冷水タンク設置部２の上面、即ち、ボトル載置部２と、ディスペンサー本体１の側面とには、冷水タンク３の出し入れ可能な開閉扉８，９がヒンジ８ａ及び９ａを介して上方及び水平方向に開閉可能に取付けてある。ディスペンサー本体１の温水タンク設置部６の側面にも、温水タンク５の出し入れ可能な開閉扉１０がヒンジ１０ａを介して下方に旋回可能に取付けてある。【選択図】  図１
2008056338.tif 000002
【特許請求の範囲】
【請求項１】
ディスペンサー本体の上部に所定容量の飲料水を収容したボトルを載置するボトル載置部と、その下部に冷水タンクを収容する冷水タンク設置部と、冷水タンク設置部の下部に温水タンクを設置する温水タンク設置部とを備え、ディスペンサー本体側面に設けた冷水または温水を抽出する抽出部を設けた飲料水ディスペンサーにおいて、  前記冷水タンクを冷水タンク設置部に対して着脱可能に構成すると共に、温水タンクを温水タンク設置部に対して着脱可能に構成し、前記ディスペンサー本体の冷水タンク設置部の上面及び側面に冷水タンクの出し入れ可能な開閉扉を設けると共に、前記ディスペンサー本体の温水タンク設置部の側面に温水タンクの出し入れ可能な開閉扉を設けたことを特徴とする飲料水ディスペンサー。
【請求項２】
前記冷水タンク設置部に、仕切り板と、断熱手段と、冷水タンク内の飲料水を冷却させる冷却機構と、温水タンクへの給水管とを配設し、前記温水タンク設置部に温水タンク内の飲料水を加熱する加熱手段を設けた請求項１に記載の飲料水ディスペンサー。
【請求項３】
前記温水タンク設置部の下部にディスペンサー本体内に、水受けバケットを一体的に設けた請求項１または２に記載の飲料水ディスペンサー。
【発明の詳細な説明】
【技術分野】
【０００１】
この発明は、一定温度の冷水と温水とを任意に抽出させることが出来る飲料水ディスペンサーに係わり、更に詳しくは冷水タンク及び温水タンク等の分解，組立てを容易にしてメンテナンスを簡便に行うことが出来るようにした飲料水ディスペンサーに関するものである。
【背景技術】
【０００２】
従来、ディスペンサー本体の上部に所定容量の飲料水（ミネラルウォーター等）を収容したボトルを載置するボトル載置部と、その下部に冷水タンクを収容する冷水タンク設置部と、冷水タンク設置部の下部に温水タンクを設置する温水タンク設置部とを備え、前記冷水タンク設置部に設けた冷却機構により冷水タンク内の飲料水を冷却し、また温水タンク設置部に設けた加熱手段により温水タンク内の飲料水を加熱し、ディスペンサー本体側面に設けた抽出部から冷水または温水を抽出できるようにした飲料水ディスペンサー（飲料水供給機またはウォーターサーバーと呼称されている）が知られている（例えば、特許文献１参照）。
【０００３】
ところで、従来の飲料水ディスペンサーにおいて、浄化装置を内蔵していないタイプの飲料水ディスペンサーでは、冷水タンクの内部は月日の経過とともに汚れると共に、多数のバクテリアが侵入して増殖し、挙げ句の果てにはバイオフィルムを形成し、衛生上不適切な状態、即ち、異臭や異味になると言う問題がある。このため、特に冷水タンクと冷水経路、蛇口等は定期的にクリーニングするメンテナイスが必要となる。
【０００４】
このようなメンテナンス作業は、従来交換する飲料水ディスペンサーを用意しておき、交換し，搬送して回収した飲料水ディスペンサーの冷水関係部分を殺菌，クリーニングしているのが現状である。このため、メンテナンス作業には、多くの手間と時間がかかり、また多大な経費が必要となる問題があった。
【特許文献１】特許第３３８７５２６号
【発明の開示】
【発明が解決しようとする課題】
【０００５】
この発明はかかる従来の問題点に着目し、冷水タンク及び温水タンク等の分解，組立てを容易にしてメンテナンスを簡便に行うことが出来るようにした飲料水ディスペンサーを提供することを目的とするものである。
【課題を解決するための手段】
【０００６】
この発明は上記目的を達成するため、冷水タンクを冷水タンク設置部に対して着脱可能に構成すると共に、温水タンクを温水タンク設置部に対して着脱可能に構成し、前記ディスペンサー本体の冷水タンク設置部の上面及び側面に冷水タンクの出し入れ可能な開閉扉を設けると共に、前記ディスペンサー本体の温水タンク設置部の側面に温水タンクの出し入れ可能な開閉扉を設けたことを要旨とするものである。
【０００７】
ここで、前記冷水タンク設置部に、仕切り板と、断熱手段と、冷水タンク内の飲料水を冷却させる冷却機構と、温水タンクへの給水管とを配設し、前記温水タンク設置部に温水タンク内の飲料水を加熱する加熱手段を設け、前記温水タンク設置部の下部にディスペンサー本体内に、水受けバケットを一体的に設けるものである。
【０００８】
このように、ディスペンサー本体に冷水タンク及び温水タンクの出し入れ可能な開閉扉を設けることで、冷水タンク及び温水タンク等の分解，組立てを容易にしてメンテナンスを簡便に行うことが出来るものである。
【発明の効果】
【０００９】
この発明は、上記のように冷水タンクを冷水タンク設置部に対して着脱可能に構成すると共に、温水タンクを温水タンク設置部に対して着脱可能に構成し、前記ディスペンサー本体の冷水タンク設置部の上面及び側面に冷水タンクの出し入れ可能な開閉扉を設けると共に、前記ディスペンサー本体の温水タンク設置部の側面に温水タンクの出し入れ可能な開閉扉を設けたので、メンテナンス時にディスペンサー本体内に対して冷水タンク及び温水タンク等を容易に出し入れすることが出来、メンテナンスを簡便に行うことが出来、作業性及び経済性に優れた飲料水ディスペンサーとすることが出来る効果がある。
【発明を実施するための最良の形態】
【００１０】
以下、添付図面に基づき、この発明の実施形態を説明する。
図１は、この発明を実施した飲料水ディスペンサーの一部縦断側面図、図２はこの発明の飲料水ディスペンサーのメンテナンス時における分解説明図を示し、ディスペンサー本体１の上部には、所定容量の飲料水（ミネラルウォーター等）Ｗｘを収容したボトルＰを載置するボトル載置部２が設けてあり、このボトル載置部２の下部には冷水タンク３を収容する冷水タンク設置部４と、冷水タンク設置部４の下部に温水タンク５を設置する温水タンク設置部６とを形成し、またディスペンサー本体１の側面には、冷水Ｗａまたは温水Ｗｂの抽出可能な抽出バルブ等で構成された抽出部７が設けてあり、更に温水タンク設置部６の下部には、水受けバケット１１がディスペンサー本体１と一体的に形成されている。
【００１１】
前記冷水タンク３はステンレスや樹脂材料（例えば、ポリプレピレン等で抗菌剤を配合したものが好ましい）等の衛生的な材料により一体的に形成し、冷水タンク設置部４に対して着脱可能に構成すると共に、抽出部７を備えた温水タンク５は温水タンク設置部６に対して着脱可能に構成する。なお、温水タンク５は、メンテナンスする必要がない場合には、固定状態で取付けることも可能である。
【００１２】
またディスペンサー本体１の冷水タンク設置部２の上面、即ち、ボトル載置部２と、ディスペンサー本体１の側面とには、冷水タンク３の出し入れ可能な開閉扉８，９がヒンジ８ａ及び９ａを介して上方及び水平方向に開閉可能に取付けてある。
【００１３】
また、前記ディスペンサー本体１の温水タンク設置部６の側面にも、温水タンク５の出し入れ可能な開閉扉１０がヒンジ１０ａを介して下方に旋回可能に取付けてある。
【００１４】
前記冷水タンク設置部６には、温水と冷水との仕切り板１２（バッフル）と、ウレタンフォーム等の断熱手段１３と、冷水タンク３内の冷水Ｗａを冷却させる公知の冷却機構１４と、前記温水タンク５への給水管１５とが配設してあり、冷水タンク３には、前記抽出バルブ等で構成された抽出部７に接続する排出口７ａを設けるか、または抽出部７と一体的に形成し、更に底面３ａは抽出部７側に向かって傾斜するように形成してある。
【００１５】
なお、冷水タンク３のオフセットした位置に排出口７ａを設ける場合において、抽出バルブ等で構成された抽出部７と接続不良が生じた場合、ディスペンサー本体１の外部に自動的に排水されるようになっている。
【００１６】
また、前記冷却機構１４は、フレオンガス等の冷媒ガスが封入された冷却配管等で構成されたエバポレータ１６を冷水タンク３の側面に配設して冷水タンク３内の冷水Ｗａを冷却するように構成し、前記エバポレータ１６は、図示しない圧縮機やコンデンサー等に接続されている。
【００１７】
また、前記温水タンク設置部６には、温水タンク５を着脱可能に装着する取付け金具１７と、温水タンク５内の温水Ｗｂを加熱するヒータ等の加熱手段１８が設けてあり、温水タンク５の上部には、前記冷水タンク３と接続する給水管１５の接続部１９を設け、また底部には、ドレン配管２０に接続する排水接続部２１が設けてある。なお、２２は冷水Ｗａ，温水Ｗｂを受ける容器２３を設置するための受け台である。２４は加熱手段１８の伝電である。
【００１８】
次に、上記のような構成から成る飲料水ディスペンサーをメンテナンスする場合の操作方法について説明する。
【００１９】
ディスペンサー本体１を定期的にメンテナンスを行う場合には、例えば、図１に示すようにボトル載置部２に設置してあるボトルＰを取外し、図２に示すように、ディスペンサー本体１のボトル載置部２とディスペンサー本体１の側面とに設けた開閉扉８，９をヒンジ８ａ及び９ａを介して上方及び水平方向に旋回させて開放する。
【００２０】
また、ディスペンサー本体１の温水タンク設置部６の側面にヒンジ１０ａを介して取付けた開閉扉１０をヒンジ１０ａを介して下方に旋回させて開放する。
【００２１】
前記開閉扉８，９を開放させると、冷却機構１４等は冷水タンク設置部２に残るが、断熱手段１３等は開閉扉８，９と共に外部に移動し、抽出部７と一体的に形成した冷水タンク３の場合には、抽出部７と共にディスペンサー本体１の外部に取外し、また抽出部７を備えた温水タンク５も温水タンク設置部６内の取付け金具１７から取外してディスペンサー本体１の外部に取外す。
【００２２】
このように冷水タンク３及び温水タンク５をディスペンサー本体１から簡単に取外すことが出来るように構成することで、特に雑菌等が繁殖し易い冷水タンク３のメンテナンスを容易に行うことが出来るものである。
【００２３】
また、逆に取外した冷水タンク３及び温水タンク５を冷水タンク設置部２及び温水タンク設置部６に設置する場合にも、開閉扉８，９を開放させて簡単に行うことが出来る。
【００２４】
具体的には、メンテナンスを行う場合に、交換する飲料水ディスペンサーを予め用意しておく必要がなくなり、従って段取り作業が不要となり、また飲料水ディスペンサーの搬送作業を行う必要がなく、短時間でメンテナンスを行うことが出来るものである。
【図面の簡単な説明】
【００２５】
【図１】この発明を実施した飲料水ディスペンサーの一部縦断側面図である。
【図２】この発明の飲料水ディスペンサーのメンテナンス時における分解説明図である。
【符号の説明】
【００２６】
１  ディスペンサー本体                  Ｐ  ボトル
２  ボトル載置部                        ３  冷水タンク
３ａ  底面
４  冷水タンク設置部                    ５  温水タンク
６  温水タンク設置部                    ７  抽出部                            ７ａ  排出口
８，９  開閉扉                  ８ａ，９ａ  ヒンジ
１１  水受けバケット
１０  開閉扉                          １０ａ  ヒンジ
１２  仕切り板                          １３  断熱手段
１４  冷却機構                          １５  給水管
１６  エバポレータ                      １７  取付け金具
１８  加熱手段                          １９  接続部
２０  ドレン配管                        ２１  排水接続部
２２  受け台                            ２３  容器
２４  電源
Ｗａ  冷水                              Ｗｂ  温水
【図１】
2008056338.tif 000003
【図２】
2008056338.tif 000004